(57)【要約】【課題】食器洗い機本体において、各部からいろいろな熱が放熱し、温度上昇をすることに対しても、効率的に冷却を行うことができる食器洗い機を実現する。【解決手段】食器洗い機本体１内に冷媒が圧縮機１８、放熱器１９、膨張機構２０、吸熱器２１の順に循環する構成のヒートポンプ装置１７を備え、前記吸熱器外側の冷却空気を、温度の高い各部の部品に対して送風するようにしたもの、これにより、冷却空気によって、効率的に各部の温度を下げることができるので、特性の良い、また、安価な部品を使用できる食器洗い機を提供することができる。【選択図】図１
2007117556.tif 000002
【特許請求の範囲】
【請求項１】
冷媒が圧縮機、放熱器、膨張機構、吸熱器の順に循環する構成のヒートポンプ装置と、送風手段と、筐体と、前記筐体の内部に構成する被洗浄物を収容する洗浄槽とを備え、前記送風手段は、前記吸熱器外側の冷却空気を、前記筐体と洗浄槽との間に送風する食器洗い機。
【請求項２】
冷媒が圧縮機、放熱器、膨張機構、吸熱器の順に循環する構成のヒートポンプ装置と、被洗浄物を収容する洗浄槽と、乾燥工程時に洗浄槽内の蒸気を排出する送風手段と、洗浄槽と機外への排気口とを連通する送風経路とを備え、前記送風経路内に前記吸熱器の少なくとも一部を配置した食器洗い機。
【請求項３】
冷媒が圧縮機、放熱器、膨張機構、吸熱器の順に循環する構成のヒートポンプ装置と、送風手段と、被洗浄物を収容する洗浄槽と、洗浄槽と機外への排気口とを連通する送風経路とを備え、前記送風手段は、前記吸熱器外側の冷却空気を、前記送風経路の外周の一部に送風する食器洗い機。
【請求項４】
冷媒が圧縮機、放熱器、膨張機構、吸熱器の順に循環する構成のヒートポンプ装置と、送風手段と、被洗浄物を収容する洗浄槽と、洗浄槽と機外への排気口とを連通する送風経路とを備え、前記送風手段は、前記吸熱器外側の冷却空気を、前記送風経路内へ送風する食器洗い機。
【請求項５】
冷媒が圧縮機、放熱器、膨張機構、吸熱器の順に循環する構成のヒートポンプ装置と、送風手段と、被洗浄物を収容する洗浄槽と、前記洗浄槽から洗浄水を排出する排水ホースを備え、前記送風手段は、前記吸熱器外側の冷却空気を、前記排水ホースの外周の一部に送風する食器洗い機。
【請求項６】
冷媒が圧縮機、放熱器、膨張機構、吸熱器の順に循環する構成のヒートポンプ装置と、送風手段と、食器洗い機を運転する制御装置、または、負荷を駆動するモータを備え、前記送風手段は、前記吸熱器外側の冷却空気を、前記制御装置またはモータの周辺に送風する食器洗い機。
【請求項７】
冷媒が圧縮機、放熱器、膨張機構、吸熱器の順に循環する構成のヒートポンプ装置と、被洗浄物を収容する洗浄槽と、前記洗浄槽内の洗浄水を加熱する加熱手段とを備え、前記加熱手段を、前記凝縮器とした請求項１〜６いずれか１項に記載の食器洗い機。
【発明の詳細な説明】
【技術分野】
【０００１】
本発明は、食器等の被洗浄物に洗浄水を噴射して洗浄する食器洗い機に関するものである。
【背景技術】
【０００２】
従来、一般的な食器洗い機は、図１０に示すように構成していた。以下、その構成について説明する。図１０に示すように、食器洗い機本体１は、その外装の筐体１ａと、内部に洗浄槽２を設けており、洗浄槽２を前後に引き出し可能としている。また、洗浄槽２は上方に開口していて、食器洗い機本体１から引き出した時に上方からの出し入れが可能となっている。ここで、この種の食器洗い機本体１は、厨房装置の一部に組み込まれる、ビルトイン型として構成している。
【０００３】
また、洗浄槽２内へは給水弁３により水または湯を供給するようにしている。ここで、その洗浄水の供給は、水位センサ（図示せず）を利用して適切な水位に設定し、給水弁３からの給水を自動的に止める。
【０００４】
洗浄槽２の底部には排水孔４を設け、この排水孔４に連通し、モータによって駆動される洗浄ポンプ５を取り付け、この洗浄ポンプ５により洗浄水を洗浄槽２の内部に循環するよう構成している。また、排水孔４には残さいを捕集する残さいフィルタ６を具備している。さらに、洗浄槽２の上方には洗浄水の循環の際に、開口部からの洗浄水の漏れを防ぐ為に、内蓋２ａを設けている。
【０００５】
上記構成において動作、作用を説明する。洗浄槽２内に供給された洗浄水は、残さいフィルタ６、排水孔４を通過して洗浄ポンプ５に吸い込まれ、洗浄ポンプ５より洗浄槽２の内底部に設けた洗浄ノズル７に供給される。洗浄ノズル７から噴射された洗浄水は、被洗浄物（食器）８を洗浄した後、再び排水孔４に戻るという経路で循環する。この際、被洗浄物８から脱落した残さい等は、洗浄水とともに残さいフィルタ６に流入し、この残さいフィルタ６を通過できない大きさの残さいは残さいフィルタ６に捕集される。
【０００６】
また、洗浄ノズル７と洗浄槽２の底部との間には、洗浄水加熱用のヒータ９を装備し、洗浄ノズル７の上方には、被洗浄物８を整然と配置でき、洗浄水を効果的に被洗浄物８に噴射するように構成した食器かご１０を設置して効率的に洗浄を行っている。さらに、制御手段１１により、給水弁３や洗浄ポンプ５等の電装部品を駆動、制御している。
【０００７】
また、洗浄槽２の内部で使用した洗浄水を機外に排出するための排水ポンプ１２およびその排水用配管用の排水ホース１３を備えている。
【０００８】
さらに、乾燥工程時に、洗浄槽２内部の蒸気を排出するために、送風用の乾燥ファン１４、および機外への排気口１５と前記排気口１５と洗浄槽２とを連通して内部に蒸気を通す送風経路１６を設けている。乾燥の方式としては、乾燥工程前の加熱すすぎ工程において、被洗浄物８を高温にしておき、その熱を利用するとともに、乾燥工程になると、前記乾燥ファン１４を駆動し、洗浄槽２内の蒸気を機外に排出する。さらに、ヒータ９も駆動し、熱量を加え、被洗浄物８に付着した水滴の蒸発を助ける。このようにして、被洗浄物８の乾燥を行う（例えば、特許文献１参照）。
【特許文献１】特開２００２−１７６４３号公報
【発明の開示】
【発明が解決しようとする課題】
【０００９】
しかしながら、このような従来の構成では、食器洗い機として機外に対して熱を放出し、いろいろな課題となる場合があった。
【００１０】
ひとつは、ビルトイン型の食器洗い機においては、厨房装置の一部に組み込まれているので、食器洗い機本体１の筐体１ａから放出される熱でその両側にあるキャビネットが暖められ、その中にあるものも暖められる。例えば、シンクの下には、冷暗所保存の物も置かれることがあるので、そのようなものに対して、温度があがるので課題となっていた。
【００１１】
次に、加熱すすぎ工程で、洗浄水が高温になった場合や、乾燥工程になって乾燥ファン１４を駆動したときにおいて、機外への排気口１５から排出される蒸気は、かなり高温多湿となっている。したがって、排気口１５から多量の湯気が行き勢いよく見えるので、不安全な感じを受ける。また、実際に蒸気が出ているので、上側にあるワークトップ等に結露する場合もある。
【００１２】
次に、最終の加熱すすぎの排水工程では、被洗浄物８の乾燥のために洗浄水をかなりな高温にしている。特に、除菌のためとして、洗浄水を８０℃まで上げている場合もある。しかしながら、一般的に建物での配管は、塩ビ管を用いるが、このような場合においては、その耐熱に問題があり、高価な高温用の物を使用する必要がある。
【００１３】
さらに、食器洗い機を運転するために使用している数々の電気部品においては、材質によってその耐熱温度が決まっている。電気部品には、例えば、制御手段１１に使用している半導体部品や、洗浄ポンプ５や、排水ポンプ１２、乾燥ファン１４を駆動するためのモータ、電気配線のリード線といったものがある。ここで、食器洗い機本体１の内部は、洗浄水の水温を上げるために、かなりの高温になっている。したがって、前記の電気部品は常温で使用される機器に比べて、より高い耐熱温度が要求される。これは、一般的な電気部品に対して割高になることが多い。また、その冷却のために半導体部品用の放熱フィンや、モータの冷却用のファンがさらに必要になる場合もある。
【００１４】
以上のように、食器洗い機本体１においては、いろいろなものが放熱し、課題となるものがいろいろとある。
【００１５】
本発明は上記従来の課題を解決するもので、熱が発生し、放熱を行っているものに対して、ヒートポンプ装置により発生する冷却された空気を送風することにより、放熱の状態を冷却し、それぞれの課題に対して対応することができる。すなわち、隣のキャビネットの加熱を防ぐことや、排気口から排出する高温高湿の湯気の温度を下げたり、湿度を落としたりして、不安全感を無くしたり、周囲の結露を防いだりできる。さらに、排水する洗浄水の温度を下げたり、食器洗い機本体内部で使用している電気部品の温度を下げることにより、より安価な部品を使用することができる。
【００１６】
このように、本発明は、従来の食器洗い機では使用中に高温となる各部の温度を下げることのできる食器洗い機を実現することを目的としている。
【課題を解決するための手段】
【００１７】
本発明は上記目的を達成するために、冷媒が圧縮機、放熱器、膨張機構、吸熱器の順に循環する構成のヒートポンプ装置を備え、前記吸熱器外側の冷却空気を、温度の高い各部の部品に対して送風するようにしたものである。
【００１８】
これにより、冷却空気によって、効率的に各部の温度を下げることができるので、特性の良い、また、安価な部品を使用できる食器洗い機を提供することができる。
【発明の効果】
【００１９】
本発明の食器洗い機は、ヒートポンプ装置にて発生することのできる冷却空気を用いて、食器洗い機本体内部の各部を冷却できるので、それぞれの特性にあった効果が期待できる。すなわち、隣のキャビネットの加熱を防ぐことや、排気口から排出する高温多湿の湯気の温度を下げたり、湿度を落としたりして、不安全感を無くしたり、周囲の結露を防いだりする。さらに、排水する洗浄水の温度を下げたり、食器洗い機本体内部で使用している電気部品の温度を下げることにより、より安価な部品を使用することができる。
【発明を実施するための最良の形態】
【００２０】
第１の発明は、冷媒が圧縮機、放熱器、膨張機構、吸熱器の順に循環する構成のヒートポンプ装置と、送風手段と、筐体と、前記筐体の内部に構成する被洗浄物を収容する洗浄槽とを備え、前記送風手段は、前記吸熱器外側の冷却空気を、前記筐体と洗浄槽との間に送風するので、食器洗い機本体（筐体１ａ）から、放出される熱を極力抑えることができる。したがって、その両側にあるキャビネットが暖められ、その中にあるものも暖められことを防止することができる。例えば、シンクの下には、冷暗所保存の物も置かれることがあるので、そのようなものに対して、何ら問題なく保存することができるようになる。
【００２１】
第２の発明は、冷媒が圧縮機、放熱器、膨張機構、吸熱器の順に循環する構成のヒートポンプ装置と、被洗浄物を収容する洗浄槽と、乾燥工程時に洗浄槽内の蒸気を排出する送風手段と、洗浄槽と機外への排気口とを連通する送風経路とを備え、前記送風経路内に前記吸熱器の少なくとも一部を配置したもので、洗浄槽から機外への排気口への送風経路内に、ヒートポンプ装置の吸熱器により排気蒸気が冷却され、その排気温度を低減することができる。また、この部分で、除湿もすることができるので、加熱すすぎ工程での洗浄水が高温になった場合や、乾燥工程になって乾燥ファンを駆動したときにおいて、機外への排気口から排出される蒸気は、かなり温度を低減することができ、さらに除湿した乾いた空気にすることができるので、その排気を熱く感じることがなく、不安全な感じを受けることはない。また、乾いた空気の排気となるので、上側にあるワークトップ等に結露することもなくなる。
【００２２】
第３の発明は、冷媒が圧縮機、放熱器、膨張機構、吸熱器の順に循環する構成のヒートポンプ装置と、送風手段と、被洗浄物を収容する洗浄槽と、洗浄槽と機外への排気口とを連通する送風経路とを備え、前記送風手段は、前記吸熱器外側の冷却空気を、前記送風経路の外周の一部に送風するようにしたもので、洗浄槽から機外までの間の送風経路の外側を冷やすことができる。したがって、送風経路内を通過する高温多湿の蒸気の温度の低減と、結露による除湿を行うことができる。それにより、その排気を熱く感じることがなく、不安全な感じを受けることはない。また、乾いた空気の排気となるので、上側にあるワークトップ等に結露することもなくなる。さらに、吸熱器の位置に関係なく、周辺の冷却空気を送風するだけなので、ヒートポンプ装置の形態に影響することがなく、構成がしやすくなる。
【００２３】
第４の発明は、冷媒が圧縮機、放熱器、膨張機構、吸熱器の順に循環する構成のヒートポンプ装置と、送風手段と、被洗浄物を収容する洗浄槽と、洗浄槽と機外への排気口とを連通する送風経路とを備え、前記送風手段は、前記吸熱器外側の冷却空気を、前記送風経路内へ送風するようにしたもので、洗浄槽から機外までの間の送風経路の中に、冷却風を送風することにより、内を通過する高温多湿の蒸気と冷却風が混ざり合い、前記洗浄槽からの蒸気の温度の低減を行うことができる。また、結露による除湿も行うことができる。したがって、その排気を熱く感じることがなく、不安全なような感じを受けることはない。また、乾いた空気の排気となるので、上側にあるワークトップ等に結露することもなくなる。さらに、吸熱器の位置に関係なく、周辺の冷却空気を送風するだけなので、ヒートポンプ装置の形態に影響することがなく、構成がしやすくなる。
【００２４】
第５の発明は、冷媒が圧縮機、放熱器、膨張機構、吸熱器の順に循環する構成のヒートポンプ装置と、送風手段と、被洗浄物を収容する洗浄槽と、前記洗浄槽から洗浄水を排出する排水ホースを備え、前記送風手段は、前記吸熱器外側の冷却空気を、前記排水ホースの外周の一部に送風するようにしたもので、排水ホースの外側から、内部を通る高温の排水を冷却できる。したがって、洗浄槽からの洗浄水の排水は、温度を下げて排出することができるので、一般的な塩ビ管を使用し、安価な構成とすることができる。
【００２５】
第６の発明は、冷媒が圧縮機、放熱器、膨張機構、吸熱器の順に循環する構成のヒートポンプ装置と、送風手段と、食器洗い機を運転する制御手段、または、負荷を駆動するモータを備え、前記送風手段は、前記吸熱器外側の冷却空気を、前記制御手段またはモータの周辺に送風するようにしたもので、制御手段や、モータといった熱を発生するものに対して、冷却することができる。したがって、従来の冷却フィンや、冷却ファンも用いず、低温にすることができるので、制御手段に使用される電子部品を高温用ではなく一般的な半導体や、モータ等の電気部品を安価に製造することができる。
【００２６】
第７の発明は、上記第１〜６の発明において、冷媒が圧縮機、放熱器、膨張機構、吸熱器の順に循環する構成のヒートポンプ装置と、被洗浄物を収容する洗浄槽と、前記洗浄槽内の洗浄水を加熱する加熱手段とを備え、前記加熱手段を、前記放熱器としたもので、ヒートポンプ装置の使用方法として、凝縮器により洗浄水の加熱を行うとともに、吸熱器により、上記の食器洗い機の各部を冷却することができる。したがって、システムとして、非常に効率的なものとなっている。
【００２７】
以下、本発明の実施の形態について、図面を参照しながら説明する。なお、従来例と同じ構成のものは同一符号を付して説明を省略する。また、この実施の形態によって本発明が限定されるものではない。
【００２８】
（実施の形態１）
図１は本発明の実施の形態１の食器洗い機の縦断面図、図２は同食器洗い機の横断面図、図３は同食器洗い機のヒートポンプ装置の動作原理図である。図１〜図３において、食器洗い機本体１（以下、本体１と略称する）の底部に、ヒートポンプ装置１７を配置する。ヒートポンプ装置１７は、冷媒が圧縮機１８、放熱器１９、膨張機構２０、吸熱器２１の順に循環する構成としている。また、放熱器１９には、ここで熱交換をするための加熱用配管２２を配置している。
【００２９】
加熱用配管２２は、食器洗い機において、排水孔４から洗浄ポンプ５への吸い込み用配管２３の一部として、洗浄ポンプ５の駆動のときに洗浄水を流す。圧縮機１８で加圧された冷媒は放熱器１９にて急激に放熱し、加熱用配管２２内の洗浄水を加熱する。また、膨張機構２０で膨張した冷媒は、吸熱器２１にて、急激に吸熱する。吸熱器２１の周囲には、その冷却された雰囲気を各部へ送風するための送風手段２４と送風路２５も配置している。また、食器洗い機の筐体１ａを冷却するために、送風路２５から、筐体１ａの付近に冷却風を送風するため送風配管２６も配置する。
【００３０】
上記構成において動作、作用を説明すると、使用者が洗浄槽２を前方に引き出し、被洗浄物８を食器かご１０にセットし、洗浄槽２内に洗剤を入れた後、洗浄槽２を本体１内に収納する。この時内蓋２ａにより洗浄槽２の上方の開口部が閉塞される。運転を開始すると、制御装置１１により、給水弁３、洗浄ポンプ５、ヒートポンプ装置１７などの運転を制御し、洗浄が行なわれる。
【００３１】
洗浄運転中において、ヒートポンプの成績係数は４程度であるため、圧縮機１８の入力が５５０Ｗのものを使用した場合、２２００Ｗの熱量が得られ、放熱器１９を通して洗浄水を加熱することができる。従来の食器洗い機では１１００Ｗのシーズヒータを用いているため、従来製品と比較すると１／２の電力で２倍の加熱をすることができ、４倍の熱効率を得ることができ運転コストを大幅に低減できるとともに、加熱時間も１／２とすることができる。その後、３回の水すすぎ運転を実施した後、加熱すすぎ運転を行う。
【００３２】
加熱すすぎ運転でも洗浄運転と同様に高効率の加熱を行うことができる。その後、乾燥運転が行われ、乾燥ファン１４を動作させることにより、洗浄槽２内の蒸気が送風経路１６を通って排気口１５から機外へ排出される。その後、所定時間乾燥運転を行い、運転を終了する。
【００３３】
この運転の際に、放熱器１９にて洗浄水を加熱しているとき、吸熱器２１の周辺の冷却された空気を、送風手段２４により、送風配管２６を通して洗浄槽と筐体１ａの間に、送風する。これにより、筐体１ａの温度が上昇するのを防ぐことができる。
【００３４】
以上のように、本実施の形態においては、ヒートポンプ装置１７により、洗浄工程等で、効率良く洗浄水の加熱を行うとともに、筐体１ａの温度が上昇するのを防ぐことができる。したがって、その両側にあるキャビネットが暖められ、その中にあるものも暖められることを防止することができる。例えば、シンクの下には、冷暗所保存の物も置かれることがあるので、そのようなものに対して、何ら問題なく保存することができるようになる。
【００３５】
（実施の形態２）
図４は本発明の実施の形態２の食器洗い機の横断面図、図５は同食器洗い機の縦断面図である。図４、５おいて、本体１の底部に、ヒートポンプ装置２７を配置する。ヒートポンプ装置２７は、図３に示した実施の形態１と同様に冷媒が圧縮機１８、放熱器１９、膨張機構２０、吸熱器２１の順に循環する構成としている。
【００３６】
本実施の形態では、洗浄槽２の底部に熱交換器２８を配置し、その内部に放熱器１９を接続して、ここで加熱を行う。洗浄工程において、洗浄槽２の底部には洗浄水が溜まっているので、圧縮機１８で加圧された冷媒は放熱器１９にて急激に放熱し、この熱交換器２８を介して、洗浄槽２底部さらには洗浄水を加熱するようにしている。また、膨張機構２０で膨張した冷媒は、吸熱器２１にて、急激に吸熱する。吸熱器２１は、洗浄槽２から機外への排気口１５へ通じる送風経路２９の内部に配置する。
【００３７】
上記構成において動作、作用を説明すると、洗浄工程では、洗浄水の加熱を上記のように洗浄槽２の底部に配置した熱交換器２８によって、熱交換をし、洗浄水を加熱する。その原理は、実施の形態１と同じで説明を省略する。乾燥工程においては、ヒートポンプ装置２７を動作させると、放熱器１９により洗浄槽２の底部に熱を加えることができる。その熱により、効率的に被洗浄物８に付着している水滴を蒸発させることができる。
【００３８】
一方、送風経路２９内においては、吸熱器２１にて、急激に吸熱されるので、乾燥ファン１４により吹出される洗浄槽２内の蒸気を冷却し、機外へ排出するときには、温度を低減し、さらには除湿した乾いた空気となる。
【００３９】
以上のように、本実施の形態においては、ヒートポンプ装置２７により、洗浄工程等で、効率良く洗浄水の加熱を行うことができる。また、乾燥工程でも、乾燥のための加熱を行うとともに、機外への排気を熱く感じることがなく、不安全な感じを受けることはない。また、乾いた空気の排気となるので、上側にあるワークトップ等に結露することもなくなる。
【００４０】
（実施の形態３）
図６は本発明の実施の形態３の食器洗い機の縦断面図である。図６に示すように、本体１の底部に、ヒートポンプ装置３０を配置する。ヒートポンプ装置３０は、図３に示した実施の形態１と同様に冷媒が圧縮機１８、放熱器１９、膨張機構２０、吸熱器２１の順に循環する構成としている。放熱器１９側の構成は、図４に示した実施の形態２と同じ構成とする。吸熱器２１側は、図３と同様に送風手段２４と送風路２５を設ける。その送風路２５から、送風配管３１を用いて、洗浄槽２から機外への排気口１５への送風経路３２の外周部分に冷却空気を送風するように構成する。
【００４１】
上記構成において動作、作用を説明する。洗浄工程および乾燥工程の加熱側では、実施の形態２と同じで説明を省略する。一方、乾燥工程の吸熱側においては、吸熱器２１で冷却された冷却空気を送風手段２４によって、送風配管３１を通して、送風経路３２の外周部へ送風する。吸熱器２１で冷却された冷却空気は、送風経路３２の外周壁面を冷却し、送風経路３２の内部を通過する洗浄槽２内からの蒸気を、冷却する。冷却されると、蒸気は結露し、送風経路３２の内面に付着する。したがって、洗浄槽２内からの蒸気は、機外へ排出するときには、温度を低減し、さらには除湿した乾いた空気となる。
【００４２】
以上のように、本実施の形態においては、ヒートポンプ装置３０により、洗浄工程等で、効率良く洗浄水の加熱を行うことができる。また、乾燥工程でも、乾燥のための加熱を行うとともに、機外への排気を熱く感じることがなく、不安全な感じを受けることはない。また、乾いた空気の排気となるので、上側にあるワークトップ等に結露することもなくなる。
【００４３】
（実施の形態４）
図７は本発明の実施の形態４の食器洗い機の縦断面図である。図７に示すように、本体１の底部に、ヒートポンプ装置３０を配置する。ヒートポンプ装置３０は、冷媒が圧縮機１８、放熱器１９、膨張機構２０、吸熱器２１の順に循環する構成としている。ヒートポンプ装置３０は実施の形態３と同様のものとする。送風手段２４により、その送風路２５から、送風配管３３を用いて、洗浄槽２から機外への排気口１５への送風経路３４の内部に冷却空気を送風するように構成する。乾燥ファン１４により、洗浄槽２内の蒸気が排出される場合、送風経路３４の中で、送風手段２４により送風された冷却空気が洗浄槽２からの蒸気と交じり合うように構成している。
【００４４】
上記構成において動作、作用を説明する。洗浄工程および乾燥工程の加熱側では、実施の形態２と同じで説明を省略する。一方、乾燥工程の吸熱側においては、吸熱器２１で冷却された冷却空気を送風手段２４によって、送風配管３３を通して、送風経路３４の内部へ送風する。冷却空気は送風経路３４の内部を通過する洗浄槽２内からの蒸気と混合されるので、洗浄槽２からの蒸気は冷却、除湿される。結露した水滴は、送風経路３４の内部に付着する。したがって、洗浄槽２内からの蒸気は、機外へ排出するときには、温度を低減し、さらには除湿した乾いた空気となる。
【００４５】
以上のように、本実施の形態においては、ヒートポンプ装置３０により、洗浄工程等で、効率良く洗浄水の加熱を行うことができる。また、乾燥工程でも、乾燥のための加熱を行うとともに、機外への排気を熱く感じることがなく、不安全な感じを受けることはない。また、乾いた空気の排気となるので、上側にあるワークトップ等に結露することもなくなる。
【００４６】
（実施の形態５）
図８は本発明の実施の形態５の食器洗い機の縦断面図である。図８に示すように、本体１の底部に、ヒートポンプ装置１７を配置する。ヒートポンプ装置１７は実施の形態１と同様のものとする。ヒートポンプ装置１７は、冷媒が圧縮機１８、放熱器１９、膨張機構２０、吸熱器２１の順に循環する構成としている。また、放熱器１９、吸熱器２１の廻りの構成も実施の形態１と同様である。本実施の形態においては、送風路２５からの冷却空気を送風するための送風配管３５は、排水ホース１３の一部分を内包するような構成としている。
【００４７】
上記構成において動作、作用を説明する。洗浄工程での洗浄水の加熱は、実施の形態１と同じで説明を省略する。洗浄工程の最後の方において、ヒートポンプ装置１７の動作中に送風手段２４を駆動する。そうすることによって、送風配管３５の中の冷却空気を送風し、その中にある排水ホース１３を冷却することができる。さらに、洗浄工程が終了し、機内の洗浄水を機外に排出する排水工程においても、送風手段２４を駆動すると、残っている冷却空気も送風し、さらに排水ホース１３の冷却を続けることができる。この状態で、熱くなった洗浄水を排水すると、冷却された排水ホース１３の中を通すので、排水の温度を低減することができる。ここで、厚めの肉厚で、ヒートマスの大きいものとしておくと、温度の低減において非常に有利なものになる。
【００４８】
以上のように、本実施の形態においては、ヒートポンプ装置１７により、洗浄工程等で、効率良く洗浄水の加熱を行うことができる。また、排水工程においては、排水ホースの外側から、内部を通る高温の排水を冷却するので、洗浄槽からの洗浄水の排水は、温度を下げて排出することができるので、一般的な塩ビ管を使用でき、安価な構成とすることができる。
【００４９】
（実施の形態６）
図９は本発明の実施の形態６の食器洗い機の縦断面図である。図９に示すように、本体１の底部に、ヒートポンプ装置１７を配置する。ヒートポンプ装置１７は実施の形態１と同様のものとする。ヒートポンプ装置１７は、冷媒が圧縮機１８、放熱器１９、膨張機構２０、吸熱器２１の順に循環する構成としている。また、放熱器１９、吸熱器２１の廻りの構成も実施の形態１と同様である。本実施の形態においては、送風手段２４により、送風路２５から冷却空気を送風するための送風配管３６は、洗浄ポンプ５を駆動するモータの近傍、および制御手段１１の近傍に送風できるように構成している。
【００５０】
上記構成において動作、作用を説明する。洗浄工程での洗浄水の加熱は、実施の形態１と同じで説明を省略する。また、この場合において、温度の高い洗浄水を循環し、長時間にわたって運転を行うと、洗浄ポンプ５の駆動用モータや、半導体の部品を多く使用している制御手段１１も、それぞれ温度が上昇する。しかしながら、本発明では、常にこれらを吸熱器２１でできる冷却空気を用いて、冷却を行うことができるので、その温度上昇を抑えることができ、食器洗い機として安定な動作を行わせることができる。
【００５１】
以上のように、本実施の形態においては、ヒートポンプ装置１７により、洗浄工程等で、効率良く洗浄水の加熱を行うことができる。また、その場合、制御手段１１や、洗浄ポンプ５のモータといった熱を発生するものに対して、冷却することができる。したがって、従来の冷却フィンや、冷却ファンも用いず、低温にすることができるので、食器洗い機として安定な動作を長期間にわたって行わせることができるとともに、制御手段に使用される電子部品を高温用ではなく一般的な半導体や、モータ等の電気部品を安価に製造することができる。
【産業上の利用可能性】
【００５２】
以上のように、本発明にかかる食器洗い機は、ヒートポンプ装置にて、洗浄水を効率的に加熱するとともに、発生する冷却空気を用いて、食器洗い機本体内部の各部を冷却できるものであり、それぞれの特性にあった冷却効果が期待できるようになり、食器洗い機の使い勝手を大幅に向上することができるので、食器等の被洗浄物に洗浄水を噴射して洗浄する食器洗い機等として有用である。
【図面の簡単な説明】
【００５３】
【図１】本発明の実施の形態１の食器洗い機の縦断面図
【図２】同食器洗い機の横断面図
【図３】同食器洗い機のヒートポンプ装置の動作原理図
【図４】本発明の実施の形態２の食器洗い機の横断面図
【図５】同食器洗い機の縦断面図
【図６】本発明の実施の形態３の食器洗い機の縦断面図
【図７】本発明の実施の形態４の食器洗い機の縦断面図
【図８】本発明の実施の形態５の食器洗い機の縦断面図
【図９】本発明の実施の形態６の食器洗い機の縦断面図
【図１０】従来の食器洗い機の縦断面図
【符号の説明】
【００５４】
１ａ  筐体
２  洗浄槽
８  被洗浄物
１７  ヒートポンプ装置
１８  圧縮機
１９  放熱器
２０  膨張機構
２１  吸熱器
２４  送風手段
【図１】
2007117556.tif 000003
【図２】
2007117556.tif 000004
【図３】
2007117556.tif 000005
【図４】
2007117556.tif 000006
【図５】
2007117556.tif 000007
【図６】
2007117556.tif 000008
【図７】
2007117556.tif 000009
【図８】
2007117556.tif 000010
【図９】
2007117556.tif 000011
【図１０】
2007117556.tif 000012